(57)【要約】【課題】歯並びによらず、適切にブラッシングを行う【解決手段】歯列Ｌ全体を洗浄する歯ブラシ１であって、歯列Ｌに沿って湾曲すると共に、歯ブラシ１を上の歯列の洗浄領域と、下の歯列の洗浄領域とに区画する基部１０と、厚み方向に沿って基部１０から離れる方向に延出すると共に、歯列Ｌの表側と対向する外周側周壁部１５と、厚み方向に沿って基部１０から離れる方向に延出すると共に、歯列Ｌの裏側と対向する内周側周壁部１６と、を有しており、基部１０と、外周側周壁部１５と、内周側周壁部１６とは、歯列Ｌとの対向面にブラシ部２が設けられており、外周側周壁部１５と内周側周壁部１６には、基部１０の厚み方向に平行な直線に沿ってそれぞれスリット３、４が形成されており、スリット３、４は、歯列Ｌに沿う方向に間隔を空けて複数形成されている構成とした。【選択図】図１
2019051033.tif 000002
【特許請求の範囲】
【請求項１】
上下の歯列全体を洗浄する口腔洗浄装置であって、
前記上下の歯列に沿って湾曲すると共に、前記口腔洗浄装置を前記上の歯列を洗浄する領域と、前記下の歯列を洗浄する領域とに区画する区画壁と、
前記区画壁の厚み方向に沿って当該区画壁から離れる方向に延出すると共に、前記上下の歯列の表側と対向する外周側周壁部と、
前記区画壁の厚み方向に沿って当該区画壁から離れる方向に延出すると共に、前記上下の歯列の裏側と対向する内周側周壁部と、を有しており、
前記区画壁と前記外周側周壁部と前記内周側周壁部には、前記上下の歯列との対向面にブラシ部が設けられており、
前記外周側周壁部と前記内周側周壁部には、前記区画壁の厚み方向に平行な直線に沿うスリットが形成されており、
前記スリットは、前記上下の歯列に沿う方向に間隔を空けて複数形成されていることを特徴とする口腔洗浄装置。
【請求項２】
前記区画壁は、前記上下の歯列に接する接線に直交する方向の前記区画壁の幅が、前記上下の歯列に沿う方向における両端から中央に向かうにつれて狭くなっていることを特徴とする請求項１に記載の口腔洗浄装置。
【請求項３】
前記外周側周壁部と前記内周側周壁部は、前記スリットによって、それぞれ歯の数と同数の領域に分割されていることを特徴とする請求項１または請求項２に記載の口腔洗浄装置。
【請求項４】
前記外周側周壁部には、前記スリットの中間位置で、前記上下の歯列に沿う方向に前記歯の数と同数の領域に分割された外周側周壁部のそれぞれの全長を狭める切り欠き部が形成されており、
前記内周側周壁部には、前記スリットの中間位置で、前記上下の歯列に沿う方向に前記歯の数と同数の領域に分割された内周側周壁部のそれぞれの全長を狭める切り欠き部が形成されていることを特徴とする請求項３に記載の口腔洗浄装置。
【請求項５】
前記切り欠き部は、前記口腔洗浄装置における前記上の歯列を洗浄する領域と前記下の歯列を洗浄する領域とに跨っていることを特徴とする請求項４に記載の口腔洗浄装置。
【請求項６】
前記外周側周壁部と前記内周側周壁部の前記区画壁からの延出高さは、使用者が前記口腔洗浄装置を口腔内に含んだ状態で、当該使用者の歯茎まで及ぶ高さであることを特徴とする請求項１から請求項５の何れか一項に記載の口腔洗浄装置。
【請求項７】
前記区画壁の厚みは、前記上下の歯列に沿う方向における両端から中央に向かうにつれて大きくなっていることを特徴とする請求項１から請求項６の何れか一項に記載の口腔洗浄装置。
【発明の詳細な説明】
【技術分野】
【０００１】
本発明は、口腔洗浄装置に関する。
【背景技術】
【０００２】
口腔洗浄装置には、上下の歯列全体を包み込むようにしてブラッシングを行うことができるマウスピース型の歯ブラシが知られている（例えば、特許文献１）。
【先行技術文献】
【特許文献】
【０００３】
【特許文献１】実開平２−８８５３１号公報
【発明の概要】
【発明が解決しようとする課題】
【０００４】
この種のマウスピース型の歯ブラシは、モルディングによって一定の形状に形成されている。
しかしながら、使用者の歯並びは一定ではない。よって、従来のマウスピース型の歯ブラシでは、使用者によっては形状が合わないこともある。そうすると、歯ブラシのブラシ部が歯にフィットせず、磨き残しが生じる。
【０００５】
そのため、使用者の歯並びによらず磨き残しを生じさせないようにすることが求められている。
【課題を解決するための手段】
【０００６】
本発明は、
上下の歯列全体を洗浄する口腔洗浄装置であって、
前記上下の歯列に沿って湾曲すると共に、前記口腔洗浄装置を前記上の歯列を洗浄する領域と、前記下の歯列を洗浄する領域とに区画する区画壁と、
前記区画壁の厚み方向に沿って当該区画壁から離れる方向に延出すると共に、前記上下の歯列の表側と対向する外周側周壁部と、
前記区画壁の厚み方向に沿って当該区画壁から離れる方向に延出すると共に、前記上下の歯列の裏側と対向する内周側周壁部と、を有しており、
前記区画壁と前記外周側周壁部と前記内周側周壁部には、前記上下の歯列との対向面にブラシ部が設けられており、
前記外周側周壁部と前記内周側周壁部には、前記区画壁の厚み方向に平行な直線に沿うスリットが形成されており、
前記スリットは、前記上下の歯列に沿う方向に間隔を空けて複数形成されている構成の口腔洗浄装置とした。
【発明の効果】
【０００７】
本発明によれば、使用者の歯並びによらず磨き残しを生じさせないようにすることができる。
【図面の簡単な説明】
【０００８】
【図１】口腔洗浄装置を説明する図である。
【図２】口腔洗浄装置を説明する図である。
【図３】口腔洗浄装置を説明する図である。
【図４】変形例にかかる口腔洗浄装置を説明する図である。
【発明を実施するための最良の形態】
【０００９】
以下、本発明の実施形態について説明する。
【００１０】
図１は、歯ブラシ１を説明する図である。
図１の（ａ）は、歯ブラシ１の斜視図である。
図１の（ｂ）は、図１の（ａ）における上面図である。
図１の（ｃ）は、図１の（ａ）における面Ａによる切断面を模式的に示す図である。
図１の（ｄ）は、図１の（ａ）における面Ｂによる切断面を模式的に示す図である。
なお、図１の（ｂ）では、ブラシ部２の記載は省略してある。
【００１１】
実施の形態にかかる口腔洗浄装置は、口腔内に含み、上下の歯列全体を洗浄するマウスピース型の歯ブラシ１である。
【００１２】
［基部１０］
図１の（ａ）、（ｂ）に示すように、上下の歯列（以下、歯列Ｌとも標記する）に沿って湾曲する基部１０を有している。
【００１３】
基部１０は、上面視において略Ｕ字形状を成している板状部材である。この基部１０は、歯列Ｌに沿う方向における一端１０１と他端１０３の中間位置で、歯列Ｌに沿って湾曲する湾曲部１０２を有している。
【００１４】
歯列Ｌに接する接線に直交する方向における基部１０の幅Ｗは、一端１０１及び他端１０３から湾曲部１０２に向かうにつれて狭くなっている（以下、歯列Ｌに接する接線に直交する方向を基部１０の幅方向とも標記する）。
【００１５】
ここで、詳細は後述するが、歯ブラシ１は使用者の口腔内に含まれた状態において、基部１０の湾曲部１０２側が使用者の前歯側に位置し、基部１０の一端１０１側及び他端１０３側が使用者の臼歯側に位置する（図３の（ｂ）参照）。
また、幅方向における基部１０の外周側は使用者の歯列Ｌの表側に位置し、基部１０の内周側は、使用者の歯列Ｌの裏側に位置する（図３の（ｂ）参照）。
【００１６】
［第一外周側周壁部１１］
図１の（ｃ）、（ｄ）に示すように、幅方向における基部１０の外周側の側縁には、当該基部１０の厚み方向における一方の面１０ａ側（図中、上側）に延出した第一外周側周壁部１１が形成されている。
この第一外周側周壁部１１は、歯列Ｌに沿う方向における基部１０の全長に亘って形成されている。
【００１７】
［第一内周側周壁部１２］
図１の（ｃ）、（ｄ）に示すように、幅方向における基部１０の内周側の側縁には、当該基部１０の厚み方向における一方の面１０ａ側（図中、上側）に延出した第一内周側周壁部１２が形成されている。
この第一内周側周壁部１２は、歯列Ｌに沿う方向における基部１０の全長に亘って形成されている。
【００１８】
［第二外周側周壁部１３］
また、図１の（ｃ）、（ｄ）に示すように、幅方向における基部１０の外周側の側縁には、当該基部１０の厚み方向における他方の面１０ｂ側（図中、下側）に延出した第二外周側周壁部１３が形成されている。
この第二外周側周壁部１３は、歯列Ｌに沿う方向における基部１０の全長に亘って形成されている。
【００１９】
［第二内周側周壁部１４］
図１の（ｃ）、（ｄ）に示すように、幅方向における基部１０の内周側の側縁には、当該基部１０の厚み方向における他方の面１０ｂ側（図中、下側）に延出した第二内周側周壁部１４が形成されている。
この第二内周側周壁部１４は、歯列Ｌに沿う方向における基部１０の全長に亘って形成されている。
【００２０】
これら第一外周側周壁部１１、第二外周側周壁部１３、第一内周側周壁部１２及び第二内周側周壁部１４は、均一な高さＨで基部１０から延出していると共に、均一な厚みＴで基部１０と一体に形成されている。
なお、図１の（ａ）に示すように、以下の説明では、第一外周側周壁部１１と第二外周側周壁部１３を合わせて外周側周壁部１５とも標記する。また、第一内周側周壁部１２と第二内周側周壁部１４を合わせて内周側周壁部１６とも標記する。
これら外周側周壁部１５、内周側周壁部１６及び基部１０は、可撓性を有する材料（例えば、シリコン系材料）で形成されている。
【００２１】
前記したとおり、基部１０の歯列Ｌに接する接線に直交する方向の幅Ｗは、一端１０１及び他端１０３から湾曲部１０２に向かうにつれて狭くなっている。
よって、基部１０の幅方向における外周側周壁部１５と内周側周壁部１６の間隔Ｗ１も、一端１０１及び他端１０３から湾曲部１０２に向かうにつれて短くなっている（図１の（ｃ）、（ｄ）参照）。
【００２２】
ここで、図１の（ｃ）、（ｄ）に示すように、第一外周側周壁部１１と第一内周側周壁部１２における互いの対向面１１ａ、１２ａは、基部１０の厚み方向における一方の面１０ａと直交する。
また、第二外周側周壁部１３と第二内周側周壁部１４における、互いの対向面１３ａ、１４ａは、基部１０の厚み方向における他方の面１０ｂに直交する。
基部１０の厚み方向における一方の面１０ａと他方の面１０ｂは、それぞれ厚み方向に直交する平坦面となっている。
【００２３】
［ブラシ部］
また、図１の（ｃ）、（ｄ）に示すように、第一外周側周壁部１１と第一内周側周壁部１２の互いの対向面１１ａ、１２ａと、基部１０の厚み方向における一方の面１０ａには、それぞれ全面に亘ってブラシ部２が設けられている。
第二外周側周壁部１３と第二内周側周壁部１４の互いの対向面１３ａ、１４ａと、基部１０の厚み方向における他方の面１０ｂにも、それぞれ全面に亘ってブラシ部２が設けられている。ブラシ部２のブラシ毛２０は、これらの面に略直交して設けられている。ブラシ部２のブラシ毛２０は、例えば、直径０．０２ｍｍ程度の極細毛が好ましい。
【００２４】
［スリット］
図２は、歯ブラシ１を説明する図である。
図２の（ａ）は、図１の（ｂ）におけるＡ−Ａ矢視方向から見た歯ブラシ１を歯列Ｌに沿って展開した模式図である。
図２の（ｂ）は、図１の（ｂ）におけるＢ−Ｂ矢視方向から見た歯ブラシ１を歯列Ｌに沿って展開した模式図である。
【００２５】
図２の（ａ）に示すように、外周側周壁部１５（第一外周側周壁部１１と第二外周側周壁部１３）には、基部１０の厚み方向に平行な直線Ｌｐに沿ってスリット３が形成されている。
外周側周壁部１５は、スリット３によって、歯列Ｌに沿う方向で複数の領域に分割されている。
【００２６】
具体的には、外周側周壁部１５は基部１０の一端１０１側から順に、基部１０の厚み方向に平行な直線Ｌｐ１〜Ｌｐ１３に沿って形成されたスリット３０１〜スリット３１３によって、歯列Ｌに沿う方向で１４領域に分割されている。
以下の説明では、図２の（ａ）に示すように、分割された領域について基部１０の一端１０１側から順に、外周側周壁部１５ａ〜１５ｎで標記する。
【００２７】
また、図２の（ｂ）に示すように、内周側周壁部１６（第一内周側周壁部１２と第二内周側周壁部１４）には、基部１０の厚み方向に平行な直線Ｌｑに沿ってスリット４が形成されている。
内周側周壁部１６はスリット４によって、歯列Ｌに沿う方向で複数の領域に分割されている。
【００２８】
具体的には、内周側周壁部１６は基部１０の一端１０１側から順に、基部１０の厚み方向に平行な直線Ｌｑ１〜Ｌｑ１３に沿ってそれぞれ形成されたスリット４０１〜スリット４１３によって、歯列Ｌに沿う方向で１４領域に分割されている。
以下の説明では、図２の（ｂ）に示すように、分割された領域について基部１０の一端１０１側から順に、内周側周壁部１６ａ〜１６ｎで標記する。
【００２９】
ここで、図１の（ｂ）に示すように、スリット３０１とスリット４０１とは、歯列Ｌに接する接線に直交する直線Ｌｍ１上に位置する。
また、スリット３０２とスリット４０２と、から順番に、スリット３１３とスリット４１３と、についても、それぞれ歯列Ｌに接する接線に直交する直線Ｌｍ２〜直線Ｌｍ１３上に位置する。
【００３０】
［切り欠き部８］
スリット３で分割された外周側周壁部１５の１つの形状について説明する。
図２の（ａ）に示すように、外周側周壁部１５ａ〜１５ｎは、略同じ形状をしている。そこで、外周側周壁部１５ｍを例に挙げて説明する。
【００３１】
図２の（ａ）の拡大図に示すように、外周側周壁部１５ｍは、直線Ｌｐ１２に沿う方向におけるスリット３１２の中間位置で、歯列Ｌに沿う方向における外周側周壁部１５ｍの全長Ｌ１を狭める切り欠き部８ａが形成されている。
また、外周側周壁部１５ｍは、直線Ｌｐ１３に沿う方向におけるスリット３１３の中間位置にも、歯列Ｌに沿う方向における外周側周壁部１５ｍの全長Ｌ１を狭める切り欠き部８ｂが形成されている。
【００３２】
歯列Ｌに沿う方向における切り欠き部８ａの切り欠き長さと、切り欠き部８ｂの切り欠き長さは、共に切り欠き長さＬ２で形成されている。
直線Ｌｐ１２方向における切り欠き部８ａの切り欠き幅と、直線Ｌｐ１３方向における切り欠き部８ｂの切り欠き幅は、共に切り欠き幅Ｗ２で形成されている。
切り欠き幅Ｗ２は、基部１０の厚みＴよりも大きい（Ｗ２＞Ｔ）。切り欠き部８（８ａ、８ｂ）は、基部１０の厚み方向における一方の面１０ａ側の領域と他方の面１０ｂ側の領域とに跨って形成されている。
【００３３】
ここで、図２の（ａ）に示すように、切り欠き部８は外周側周壁部１５ａ〜１５ｎにそれぞれ形成されている。
切り欠き部８の切り欠き長さは、歯列Ｌに沿う方向における外周側周壁部１５ａ〜１５ｎの各々の全長に基づいて設定されており、外周側周壁部１５ａ〜１５ｎごとに異なる。一方、切り欠き部８の切り欠き幅は、歯列Ｌに沿う方向における外周側周壁部１５ａ〜１５ｎの各々の全長によらず一定である。
なお、スリット４で分割された内周側周壁部１６の１つの形状については、前記した外周側周壁部１５ａ〜１５ｎと略同様であるので説明は省略する（図２の（ｂ）参照）。
【００３４】
よって、外周側周壁部１５と内周側周壁部１６は、切り欠き部８を形成した分だけ剛性強度が下がる。
よって、スリット３０１〜３１３で分割された外周側周壁部１５ａ〜１５ｎと、スリット４０１〜４１３で分割された内周側周壁部１６ａ〜１６ｎは、それぞれ独立して変位しやすくなっている。
【００３５】
次に、歯ブラシ１を口腔内に含んだ状態について説明する。
図３の（ａ）は、歯ブラシ１を口腔内に含んだ状態を説明する図である。
図３の（ｂ）は、図３の（ａ）におけるＡ−Ａ断面を説明する図である。
図３の（ｃ）は、図３の（ｂ）におけるＢ−Ｂ断面を説明する図である。
図３の（ｄ）は、図３の（ｂ）におけるＣ−Ｃ断面を説明する図である。
なお、図３の（ｂ）では、ブラシ部２の記載は省略してある。
【００３６】
図３の（ａ）に示すように、使用者が歯ブラシ１を口腔内に含むと、当該使用者の口腔内は、基部１０によって上の歯列が洗浄される領域と下の歯列が洗浄される領域とに区画される。厚み方向における基部１０の一方の面１０ａが上の歯列と対向し、厚み方向における基部１０の他方の面１０ｂが下の歯列と対向する。また、使用者の右側臼歯が基部１０の一端１０１側に位置し、使用者の左側臼歯が基部１０の他端１０３側に位置し、使用者の前歯が湾曲部１０２側に位置する。
【００３７】
また、図３の（ｃ）、（ｄ）に示すように、下の歯列については、第二外周側周壁部１３の第二内周側周壁部１４との対向面１３ａが、使用者の下の歯列の表側と対向する。
また、第二内周側周壁部１４の第二外周側周壁部１３との対向面１４ａが、使用者の下の歯列の裏側と対向する。基部１０の厚み方向における他方の面１０ｂが、使用者の下の歯列の先端（噛み合せ面）と対向する。
【００３８】
また、図示は省略するが、上の歯列についても同様に、第一外周側周壁部１１の第一内周側周壁部１２との対向面１１ａが、使用者の上の歯列の表側と対向する。
また、第一内周側周壁部１２の第一外周側周壁部１１との対向面１２ａが、使用者の上の歯列の裏側と対向する。基部１０の厚み方向における一方の面１０ａが、使用者の上の歯列の先端（噛み合せ面）と対向する。
この場合において、外周側周壁部１５と内周側周壁部１６の基部１０からの延出高さＨは、使用者の歯茎まで及ぶ高さである（図３の（ｃ）、（ｄ）参照）。
【００３９】
この状態において、使用者は、歯ブラシ１を噛む動作、または、歯ブラシ１を指で任意の方向に動かす。そうすると、使用者の歯列Ｌは、全面に亘ってブラシ部２でブラッシングされると共に、使用者の歯茎はブラシ部２でマッサージされる。
【００４０】
ここで、図３の（ｂ）に示すように、外周側周壁部１５と内周側周壁部１６は、前記したとおり歯列Ｌに沿って、それぞれスリット３（スリット３０１〜スリット３１３）、スリット４（スリット４０１〜スリット４１３）によって１４領域に分割されている。これは歯列Ｌに沿う方向の歯の数と同じ数である。ここで、第３大臼歯（親知らず）は数に含めていないが、当該第３大臼歯を含めて１６領域としたものであってもよい。
また、これらスリット３、４は、歯の数に合わせて設けられていなくても良い。例えば、歯列Ｌに沿う方向における、基部１０の湾曲率の大きな領域にのみスリット３、４を設けたものであってもよい。
【００４１】
歯列Ｌに沿う方向で隣接するスリット３、４のそれぞれの間隔は、均等とするよりも、一本一本の歯の大きさに基づいた間隔で設定されているのが好ましい。
外周側周壁部１５ａ〜１５ｎと内周側周壁部１６ａ〜１６ｎが、歯列Ｌの表側と裏側で、１本の歯と略１対１でそれぞれ対向し、歯列Ｌの全長に亘ってブラシ部２がフィットするからである。
【００４２】
例えば、分割された領域の１つである外周側周壁部１５ｍにおいて、第二外周側周壁部１３側は、使用者の左側第一大臼歯の表側と対向している（図３の（ｂ）参照）。
図３の（ｂ）、（ｄ）の仮想線で示すように、左側第一大臼歯は歯列Ｌに接する接線に直交する方向における外側に変位した歯並びとなっている。このような場合であっても、外周側周壁部１５ｍの第二外周側周壁部１３側のみが、当該左側第一大臼歯の歯並びに倣って変位する。
ここで、外周側周壁部１５ｍと隣接している外周側周壁部１５ｌ、１５ｎは、外周側周壁部１５ｍの変位に引っ張られることなく、それぞれ左側第二小臼歯、左側第二大臼歯にフィットした状態を維持できる。
【００４３】
以上の通り、実施の形態では、
（１）歯列Ｌ（上下の歯列）全体を洗浄する歯ブラシ１（口腔洗浄装置）であって、
歯列Ｌに沿って湾曲すると共に、歯ブラシ１を上の歯列を洗浄する領域と、下の歯列を洗浄する領域とに区画する基部１０（区画壁）と、
基部１０の厚み方向に沿って当該基部１０から離れる方向に延出すると共に、歯列Ｌの表側と対向する外周側周壁部１５と、
基部１０の厚み方向に沿って当該基部１０から離れる方向に延出すると共に、歯列Ｌの裏側と対向する内周側周壁部１６と、を有しており、
基部１０と、外周側周壁部１５と、内周側周壁部１６とは、歯列Ｌとの対向面にブラシ部２が設けられており、
外周側周壁部１５には、基部１０の厚み方向に平行な直線に沿ってスリット３が形成されており、
内周側周壁部１６には、基部１０の厚み方向に平行な直線に沿ってスリット４が形成されており、
スリット３、４は、歯列Ｌに沿う方向に間隔を空けて複数形成されている構成とした。
【００４４】
このように構成すると、外周側周壁部１５と内周側周壁部１６は、歯列Ｌに沿って複数の領域に分割される。そうすると、これら分割された領域の各々は、歯列Ｌに接する接線に直交する方向に独立して変位可能となる。
よって、使用者の歯並びに合わせてブラシ部２がフィットした状態を維持できる。これにより、歯並びによらず磨き残しを生じさせないようにすることができる。
【００４５】
（２）基部１０は、歯列Ｌに接する接線に直交する方向の基部１０の幅が、当該歯列Ｌに沿う方向における一端１０１及び他端１０３（両端）から湾曲部１０２（中央）に向かうにつれて狭くなっている構成とした。
【００４６】
歯ブラシ１を口腔内に含めると、使用者の左右の臼歯はそれぞれ一端１０１及び他端１０３（両端）側に位置し、使用者の前歯は、湾曲部１０２（中央）側に位置する。
このように構成すると、より適切に使用者の歯にブラシ部２をフィットさせることが出来る。
【００４７】
（３）外周側周壁部１５と内周側周壁部１６は、それぞれスリット３、４によって、外周側周壁部１５ａ〜１５ｎ、内周側周壁部１６ａ〜１６ｎ（歯の数と同数の領域）に分割されている構成とした。
【００４８】
このように構成すると、歯の一本一本に、ブラシ部２をフィットさせることが出来るので、確実に磨き残しを生じさせないようにすることができる。
【００４９】
（４）外周側周壁部１５には、スリット３（スリット３０１〜スリット３１３）の中間位置で、歯列Ｌに沿う方向で歯の数と同数の領域に分割された外周側周壁部１５ａ〜１５ｎのそれぞれの全長を狭める切り欠き部８が形成されており、
内周側周壁部１６には、スリット４（スリット４０１〜スリット４１３）の中間位置で、歯列Ｌに沿う方向で歯の数と同数の領域に分割された内周側周壁部１６ａ〜１６ｎのそれぞれの全長を狭める切り欠き部８が形成されている構成とした。
【００５０】
このように構成すると、歯列Ｌに接する接線に直交する方向における外周側周壁部１５、内周側周壁部１６の剛性強度が下がる。従って、スリット３、４で分割された領域がそれぞれ独立して歯列Ｌに接する接線に直交する方向に変位しやすくなり、歯の一本一本にブラシ部２をフィットさせた状態を維持できる。
【００５１】
（５）切り欠き部８は、歯ブラシ１における上の歯列を洗浄する領域と下の歯列を洗浄する領域とに跨っている構成とした。
【００５２】
このように構成すると、上の歯列を洗浄する領域と下の歯列を洗浄する領域とが、外部に開口する面積が増加してブラシ部２の通気性が向上する。これにより、使用後のブラシ部２の乾燥が早くなるので、歯ブラシ１を清潔に保つことが出来る。
【００５３】
（６）外周側周壁部１５と内周側周壁部１６の基部１０からの延出高さＨは、使用者が歯ブラシ１を口腔内に含んだ状態で、当該使用者の歯茎まで及ぶ高さである構成とした。
【００５４】
このように構成すると、歯列Ｌのブラッシングと共に歯茎のマッサージも出来る。
【００５５】
［変形例１］
ここで、変形例にかかる歯ブラシ１Ａについて説明する。
実施の形態にかかる歯ブラシ１では、外周側周壁部１５と内周側周壁部１６は、基部１０は均一な厚みＴで形成されていることを例示したが、これに限定されるものではない。
以下の説明では、歯ブラシ１Ａでは歯ブラシ１と異なる部分のみを説明する。その他の部分については歯ブラシ１と同様とする。
【００５６】
図４は、変形例にかかる歯ブラシ１Ａを説明する図である。
図４の（ａ）は、歯ブラシ１Ａを口腔内に含んだ状態を説明する図である。
図４の（ｂ）は、図４の（ａ）における歯ブラシ１Ａを面Ａで切断した切断面を説明する図である。
図４の（ｃ）は、図４の（ａ）におけるＢ−Ｂ断面を説明する図である。
【００５７】
図４に示すように、歯ブラシ１Ａは、臼歯側から前歯側に向かうにつれて、基部１０の厚みＴが厚くなっている。
この場合において、図４の（ａ）に示すように、切り欠き部８の切り欠き幅は、基部１０の厚みに基づいて設定されている。
【００５８】
基部１０の厚みＴは、歯列Ｌに沿う方向における臼歯側（両端）から前歯側（中央）に向かうにつれて厚くなっている構成とした。
【００５９】
歯ブラシ１Ａを口腔内に含むと、使用者の口は少し開いた状態となる。この状態において、上の歯列と下の歯列との間隔は、前歯側の方が臼歯側よりも大きくなる。
そこで、このように構成することで、歯ブラシ１Ａのブラシ部２が使用者の歯及び歯茎にフィットした状態をより確実に維持することができる。
【００６０】
また、外周側周壁部１５及び内周側周壁部１６の基部１０からの延出高さＨについても、当該基部１０の厚みに基づいて設定されるものであっても良い。例えば、歯列Ｌに沿う方向における臼歯側から前歯側に向かうにつれて、延出高さが高くなっていても良い。
【符号の説明】
【００６１】
１、１Ａ  歯ブラシ
２      ブラシ部
３      スリット
４      スリット
１０    基部
１１    第一外周側周壁部
１２    第一内周側周壁部
１３    第二外周側周壁部
１４    第二内周側周壁部
１５    外周側周壁部
１６    内周側周壁部
２０    ブラシ毛
１０１  一端部
１０２  湾曲部
１０３  他端部
１０ａ  一方の面
１０ｂ  他方の面
８      切り欠き部
Ｌ      歯列
Ｌｍ    直線
Ｌｐ    直線
Ｌｑ    直線
Ｗ      幅
【図１】
2019051033.tif 000003
【図２】
2019051033.tif 000004
【図３】
2019051033.tif 000005
【図４】
2019051033.tif 000006